(57)【特許請求の範囲】
【請求項１】
体液が吸入される吸入口と、
体液を受け入れるための容器と、
前記容器内で前記吸入口に接続される逆流防止弁と、
吸入された体液が送出される送出口と、
前記容器内に内設され、前記容器を圧縮した後に圧縮された形状が復元することで前記容器内に吸引圧を発生させる筒状の復元手段と、を備え、
前記復元手段が、合成樹脂により形成され、
前記復元手段が、圧縮時に変形しない複数の肉厚部と、圧縮時に変形し前記複数の肉厚部を連結する複数の肉薄部とから構成され、
前記復元手段は、対向する２個所の肉薄部が、その内角が減少する方向に撓曲することで圧縮され、前記吸引圧は、内角が減少する方向に撓曲することで圧縮された前記対向する２カ所の肉薄部が復元することで発生し、
前記肉厚部の厚さが０．５ｍｍ以上１０ｍｍ以下であり、
前記肉薄部の厚さが０．１ｍｍ以上２ｍｍ以下であり、
前記肉厚部の厚さ＞肉薄部の厚さである、体液吸引用ポンプ。
【請求項２】
前記復元手段が、６個所の肉厚部と、６個所の肉薄部と、から構成される請求項１に記載の体液吸引用ポンプ。
【請求項３】
圧縮時に内角が減少する方向に撓曲する２個所の肉薄部の両端に連結する２つの肉厚部が成す内角が、３０°以上１５０°以下であり、
他の肉薄部の両端に連結する２つの肉厚部が成す内角が、１１０°以上１６０°以下である請求項２記載の体液吸引用ポンプ。
【請求項４】
請求項１から３のいずれか一項に記載の体液吸引用ポンプと、
該体液吸引用ポンプの前記送出口に連通され体液が送入される送入口と、送入された体液を貯留するための貯留用容器と、貯留された体液が外部へ排出される排出口と、を備える体液貯留部と、
を備える体液吸引集液装置。
【発明の詳細な説明】
【技術分野】
【０００１】
本発明は、体液吸引用ポンプに関する。より詳しくは、術後の体腔内や創傷部に貯留する血液や滲出液などの体液を、体外に持続的に誘導、排出させるドレナージに使用するための体液吸引用ポンプおよび該体液吸引用ポンプを用いた体液吸引集液装置に関する。
【背景技術】
【０００２】
従来から、手術後に生じた閉鎖腔や外傷などで汚染された開放創を閉じた場合などに、治療目的、予防目的、または情報収集を目的としてドレーンを体内に留置する方法が行われている。治療的ドレナージとは、膿や消化液など治癒を妨げる要因を取り除くことを目的としており、予防的ドレナージとは縫合不全などによる出血等が予想される際に用い、情報ドレナージとは体内の異常を知るために行われている。ドレナージの主な方法としては、開放式ドレナージ、閉鎖式ドレナージなどがある。
【０００３】
開放式ドレナージは、体内にドレーンの一端を設置し、血液や滲出液などの体液を、毛細管現象を利用して体外へ誘導し、ドレーンの他端からガーゼや綿などで体液を吸収させる方法であり、一般的にはペンローズドレーンなどが用いられている。開放式ドレナージは、閉鎖式ドレナージのように排液バッグなどが常時接続されていないため、排液が少量の時には使用するガーゼの量も少ないため患者の動きに対する自由度が高い。しかしながら、体液が大気に触れるため、特に滲出液などが減ってきた際には、感染のリスクが高いことが問題である。
【０００４】
一方、閉鎖式ドレナージは、体内にドレーンを留置し、体表に設けた開口部を通してドレーンを吸引装置や貯留バッグ等に外界との接触がないように密閉的に接続し、創傷部や体腔内に貯留する血液や滲出液などを、誘導、排出させる方法である。閉鎖式ドレナージは、開放式ドレナージに比べ、感染リスクが低いため、近年ドレナージの主流になっている。実際に、米国疾病予防管理センター（ＣＤＣ）の感染対策ガイドラインにおいて、ドレナージが必要と認められる時は、手術後の感染防止のために、閉鎖式ドレナージを用いることが推奨されている。
【０００５】
しかし、閉鎖式ドレナージは、体内に留置したドレーンに、吸引装置または貯留バッグ、が長いチューブを介して常時接続された状態であるため、患者の早期離床を妨げる点と、患者の日常動作を制限するため拘束感が強い点に問題がある。そのため、患者拘束感を低減した閉鎖式ドレナージに用いるための携帯型吸引装置など、種々の工夫を凝らしたものが、開発されつつある。
【０００６】
例えば、特許文献１には、フレキシブル膜で形成された貯留器内に、１対の壁を設け、この壁の間に復元手段として金属製スプリングを設置し、この金属製スプリングの復元力により貯留器中に真空を作り出すことで、体液を吸引する外科用吸引装置が開示されている。
【０００７】
また、例えば、特許文献２には、軟質の袋状の部材の内側に、硬質で少なくとも4つの屈曲可能な部位を有する閉鎖した管状の部材と、この屈曲可能な部位に設置され管状の部材を押し広げる復元手段としてねじりコイルバネを設置することで、一定の吸引圧で体液を容器内に吸引することができる体液吸引容器が開示されている。
【０００８】
これらの特許文献１および２に記載された装置は比較的小型に設計することが可能ではあるが、復元手段として金属バネを用いているため、その重量が重く、術後の患者の離床、リハビリなどにおいて、患者への負担が大きいといった問題がある。また、体内に留置したドレーンが体内に迷入するなど不測の事態が発生した際には、ＣＴやＭＲＩなどの検査が必要となるが、金属バネを用いているため画像診断の妨げになる恐れもある。
【０００９】
また、金属材料が用いられた医療器具は、使用後の廃棄処理時にけがなどの恐れがあるという問題もある。更に、焼却後に金属廃棄物との分別が必要であり、廃棄の煩雑性も問題である。
【００１０】
また、金属材料を用いた例えばバネなどの復元手段は、比較的高い反発力を有するため、高い吸引圧を得ることはできるが、その一方で、圧縮する際に大きな外力が必要であるため握力の弱い女性の医師や看護師では操作できないという問題がある。また、高い反発力により、復元速度（吸引速度）が速くなりすぎてしまい、患者に痛みなどが発生したり、高い吸引圧により臓器を傷つけてしまったりして、治癒効果が低下するという問題もあった。
【００１１】
一方、復元手段を別に設けずに、容器自体に弾性を持たせることで、吸引圧を発生させる技術もある。例えば、特許文献３には、本体と異なる弾性係数の部材を本体の長手方向か周方向に配置し、本体中央部の周方向の肉厚を本体上部及び下部の周方向の肉厚より厚くすることで、吸引圧が維持できる体液吸引集液器が開示されている。
【００１２】
この特許文献３に記載された技術では、金属材料の問題や製造工程の削減化などは解決することができるが、ブロー成形による肉厚の精密制御は難しく、体液を吸引するための吸引圧コントロールについては、まだまだ満足できるものではなかった。
【００１３】
ところで、体液を吸引するための吸引圧を発生するための復元手段としては、樹脂やゴムなどの非金属材料を用いて、その構造や素材の弾性により、圧縮バネとして採用することも可能である。
一方で、患者のＡＤＬ（Activity of Daily Life）を考えると、ドレナージのための吸引ポンプは、術後の患者の離床、リハビリなどを妨げないよう、比較的小型で、着衣内にしまえるサイズであり、軽量かつシンプルな構造のものが望まれる。
【００１４】
このとき、非金属材料を用いた復元手段は、一般的に金属製のバネに比べて反発力が弱いため、金属材料を用いた復元手段のように高い反発力による問題は解消できるが、一方で、反発力が弱すぎても所望の吸引力を得ることができなくなってしまうため、適度な反発力を発揮するための構造の設計が非常に重要である。
【００１５】
また、体液吸引用ポンプは、復元手段を圧縮して、容器内の空気を排出させ、その排出した空気の容積分の体液を吸引するものであるから、復元手段を圧縮した際に、いかに容易に効率的に空気を排出させることができるかも重要である。
【００１６】
本願発明者は、先に、軟質の容器の内部に、互いに対向して配置された２枚の硬質の板状部材と、該板状部材の両端部をそれぞれ互いに連結する板ばね部材とからなる復元手段を設けた排液吸引装置を開発した（特許文献４）。この技術は、復元手段を樹脂やゴムなどで形成できる装置である。
【先行技術文献】
【特許文献】
【００１７】
【特許文献１】特開昭５７−８１３４６号公報
【特許文献２】特開２００２−２９１８６９号公報
【特許文献３】特開２００１−２１８８３０号公報
【特許文献４】特開２００７−１９５６０１号公報
【発明の概要】
【発明が解決しようとする課題】
【００１８】
上述のように、体液吸引用ポンプは、適度な反発力により適度な吸引力（吸引速度）を発揮し、かつ、復元手段を圧縮した際に、いかに容易に効率的に空気を排出させることができるかが重要であるが、効率的に適度な吸引圧を発生させる技術は、まだまだ開発の途であり、患者のＡＤＬを維持しつつ、治癒効果を高める技術の開発が期待されているのが実情である。
【００１９】
そこで、本発明では、シンプルな構造で効率的に適度な吸引圧を発生し得る技術を提供することを主目的とする。
【課題を解決するための手段】
【００２０】
本願発明者は、体液吸引用ポンプにおいて、効率的に適度な吸引圧を発生させる方法について鋭意研究を行った結果、効率的に適度な吸引圧を発生させるためには、復元手段の構造が非常に重要であることを突き止め、本発明を完成させるに至った。
【００２１】
即ち、本発明では、まず、体液が吸入される吸入口と、
体液を受け入れるための容器と、
前記容器内で前記吸入口に接続される逆流防止弁と、
吸入された体液が送出される送出口と、
前記容器内に内設され、前記容器を圧縮した後に圧縮された形状が復元することで前記容器内に吸引圧を発生させる筒状の復元手段と、を備え、
前記復元手段が、非金属材料により形成され、
前記復元手段が、圧縮時に変形しない複数の肉厚部と、圧縮時に変形し前記複数の肉厚部を連結する複数の肉薄部とから構成された体液吸引用ポンプを提供する。
前記復元手段は、複数の肉薄部を有するが、その中の対向する２個所の肉薄部が、その内角が減少する方向に撓曲することで圧縮される。
前記復元手段は、複数の肉厚部と複数の肉薄部を備えており、本発明の効果を損なわなければ、それらの数は特に限定されないが、本発明では、６個所の肉厚部と、６個所の肉薄部と、から構成することが好ましい。
この場合、復元手段の具体的な形態も特に限定されないが、圧縮時に内角が減少する方向に撓曲する２個所の肉薄部の両端に連結する２つの肉厚部が成す内角を、３０°以上１５０°以下に、他の肉薄部の両端に連結する２つの肉厚部が成す内角を、１１０°以上１６０°以下に設計することが好ましい。
【００２２】
本発明に係る体液吸引用ポンプは、体液の吸引に加え、体液の貯留も行うことが可能な体液吸引集液装置のポンプとして好適に用いることができる。
具体的に、本発明では、本発明に係る体液吸引用ポンプと、
該体液吸引用ポンプの前記送出口に連通され体液が送入される送入口と、送入された体液を貯留するための貯留用容器と、貯留された体液が外部へ排出される排出口と、を備える体液貯留部と、
を備える体液吸引集液装置を提供する。
【発明の効果】
【００２３】
本発明によれば、非常にシンプルな構造の復元手段で効率的に適度な吸引圧を発生させることができるため、患者のＡＤＬを維持しつつ、患者に適応した所望の治癒効果を得ることが可能である。
【図面の簡単な説明】
【００２４】
【図１】本発明に係る体液吸引用ポンプ１の第１実施形態を模式的に示す斜視模式図である。
【図２】本発明に用いることができる逆流防止弁１２を拡大した斜視模式図である。
【図３】復元手段１３を最も圧縮した際の第１実施形態に係る体液吸引用ポンプ１を模式的に示す斜視模式図である。
【図４】図中（Ｉ）は、復元手段１３が容器１１内で最も拡膨した際の体液吸引用ポンプ１を正面方向から視た正面模式図であり、図中（II）は、復元手段１３を最も圧縮した際の体液吸引用ポンプ１を正面方向から視た正面模式図である。
【図５】本発明に係る体液吸引用ポンプ１の第２実施形態を模式的に示す斜視模式図である。
【図６】本発明に係る体液吸引用ポンプ１の復元手段１３の一例を、容器外１１外で最も拡張させた際の斜視模式図である。
【図７】図中（Ｉ）は、図６のＡ−Ａ’断面模式図であり、図中（II）は、図６の復元手段１３を容器１１外で最も圧縮した際のＡ−Ａ’断面模式図である。
【図８】本発明に係る体液吸引用ポンプ１の復元手段１３の図６および７とは異なる一例を、容器外１１外で最も拡張させた際の斜視模式図である。
【図９】図中（Ｉ）は、図８のＢ−Ｂ’断面模式図であり、図中（II）は、図８の復元手段１３を容器１１外で最も圧縮した際のＢ−Ｂ’断面模式図である。
【図１０】本発明に係る体液吸引用ポンプ１の復元手段１３の図６から９とは異なる一例を、容器外１１外で最も拡張させた際の斜視模式図である。
【図１１】図中（Ｉ）は、図１０のＣ−Ｃ’断面模式図であり、図中（II）は、図１０の復元手段１３を容器１１外で最も圧縮した際のＣ−Ｃ’断面模式図である。
【図１２】本発明に係る体液吸引用ポンプ１の第３実施形態を模式的に示す斜視模式図である。
【図１３】本発明に係る体液吸引集液装置２の第１実施形態を模式的に示す斜視模式図である。
【発明を実施するための形態】
【００２５】
以下、本発明を実施するための好適な形態について、図面を参照しながら詳細に説明する。なお、以下に説明する実施形態は、本発明の代表的な実施形態の一例を示したものであり、これにより本発明の範囲が狭く解釈されることはない。
【００２６】
＜１．体液吸引用ポンプ＞
図１は、本発明に係る体液吸引用ポンプ１の第１実施形態を模式的に示す斜視模式図である。本発明に係る体液吸引用ポンプ１は、大別して、（１）容器１１と、（２）逆流防止弁１２と、（３）復元手段１３と、を備える。また、必要に応じて、（４）体表固定部１４を更に備えることも可能である。以下、各部について、詳細に説明する。
【００２７】
（１）容器１１
本発明に係る体液吸引用ポンプ１には、体液を受け入れるための容器１１を備える。容器１１には、上部に体液を吸入するための吸入口１１１と、下部に吸入された体液を送出するための送出口１１２とを備える。
【００２８】
容器１１を形成する材料は、圧縮可能な軟質の材料であれば、特に限定されず、通常、体液吸引用ポンプに用いることができる材料を自由に選択して用いることができる。例えば、熱可塑性樹脂などが挙げられる。
【００２９】
本発明に係る体液吸引用ポンプ１の容器１１には、光透過性を有する材料を用いることが好ましい。具体的には、透明又は半透明の合成樹脂フィルムを用いることが好ましい。光透過性を有する材料を用いることで、吸引された体液の状態を容器１１から透視して容易に確認することができ、治癒状態を確認しながら診断、必要な治療などを行うことが可能である。
【００３０】
また、本発明に係る体液吸引用ポンプ１の容器１１には、シール性のある材料を用いることが好ましい。シール性を有する材料を用いることで、容器１１を、所望の形態へと形成し易くすることができる。
【００３１】
更に、容器１１には防臭性を有する材料を用いることが好ましい。排液の種類によっては臭気を発生することがあるため病室内に臭いが充満する恐れがある。防臭性の素材を用いることで患者および周囲の快適性を高めることが可能となる。
【００３２】
加えて、本発明に係る体液吸引用ポンプ１の容器１１には、印刷性のある材料を用いることが好ましい。印刷性を有する材料を用いることで、例えば、取扱いの説明や患者名、吸引日時、吸引した浸出液量目盛などを容器１１に印刷することができるので、処置の効率化を図ることができ、また、医療過誤などを防止することも可能である。
【００３３】
容器１１の具体的な形態は、後述する逆流防止弁１２と、復元手段１３とを内設することができれば、特に限定されず、吸引を行う部位、目的の吸引力などに応じて、自由に設計することができる。例えば、図１の第１実施形態では、２枚の熱可塑性樹脂シートの周縁をヒートシールした形態をなしているが、これに限定されない。図示しないが、１枚の熱可塑性樹脂シートを用いて筒状に成形し、上下をシールすることにより袋状の容器形態に設計することも自由である。
【００３４】
また、容器１１の具体的な大きさについても、後述する逆流防止弁１２と、復元手段１３とを内設することができれば、特に限定されない。例えば、体液量、吸引を行う部位、目的の吸引力などに応じて、自由に設計することができるが、本発明では特に、容器１１内で復元手段１３が最も拡膨した際に、容器１１が弛みなく最も拡膨するように設計することが好ましい。このように設計することで、圧縮された容器１１の形状が復元する際に、効率的に体液を吸引することが可能となる。
【００３５】
体液を吸入するための吸入口１１１は、体内に留置されたドレーン（図示せず）の端部と接続する。吸入口１１１には、ドレーンとの接続を容易にするために、管状部材Ｔ１を連設することが好ましい。管状部材Ｔ１を形成する材料は、柔軟な材料であれば、特に限定されず、通常、ドレーンとの接続に用いることができる材料を自由に選択して用いることができる。例えば、シリコーンゴム、エチレンプロピレンゴム、水素化ニトリルゴム等の合成ゴム、スチレン系、オレフィン系の熱可塑性エラストマーなどが挙げられる。
【００３６】
吸入口１１１から吸入され、容器１１に一旦受け入れられた体液は、容器１１の送出口１１２からポンプの外部へ送出される。送出口１１２は、後述するように、通常、体液を貯留する容器に接続するが、これに限らず、送出口１１２から体液を直接、排出することも可能である。
【００３７】
送出口１１２には、その目的に合わせて、後述する逆流防止弁１２’や体液を送出し易くするための管状部材Ｔ２を連設することもできる。逆流防止弁１２’を形成する材料やその形態などについては、後述する。また、管状部材Ｔ２を形成する材料は、吸入口１１１に連設可能な管状部材Ｔ１と同様であるため、ここでは説明を割愛する。
【００３８】
本発明に係る体液吸引用ポンプ１において、吸入口１１１と、復元手段１３と、送出口１１２とが、それぞれ軸方向平行にして、同一直線上に並ぶように容器１１を設計することが好ましい。これらが同一直線上に並ぶように設計することで、吸入した体液が容器１１内をスムーズに移動し、そして送出させることができるため、体液の効率的な吸入および送出を行うことが可能となる。また、容器１１内で体液がスムーズに移動することにより、容器１１内での詰まりを防止することも可能である。
【００３９】
また、本発明に係る体液吸引用ポンプ１の容器１１には、吊り下げ用の穴１１４を設けることも可能である。吊り下げ用穴１１４を設けることで、病室においてはベットサイドなどに吊り下げたり、点滴スタンドなどに吊り下げたりして患者が自由に移動することが可能となるため、患者のＡＤＬを高く維持することができる。
【００４０】
（２）逆流防止弁１２
本発明に係る体液吸引用ポンプ１では、吸入した体液が逆流することを防止するために、容器１１内で吸入口１１１に逆流防止弁１２を接続させる。本発明に用いることができる逆流防止弁１２の具体的な構造は特に限定されず、通常、体液吸引用ポンプに用いることができる逆流防止弁の構造を自由に選択して採用することができる。一例を示すと、図２に示すような構造の逆流防止弁１２を用いることができる。
【００４１】
図２は、本発明に用いることができる逆流防止弁１２を拡大した斜視模式図である。逆流防止弁１２を、一方の末端１２２のみ密着させた軟質の扁平状のチューブ１２１で構成し、体液が吸入される時のみ、微小な圧力差によって末端１２２が押し広げられ、体液の吸入が終了すると同時に末端１２２が再び密着するように設計することにより、容器１１に吸入された体液が逆流することを防ぐことが可能である。
【００４２】
本発明の逆流防止弁１２を形成する材料は、柔軟な材料であれば、特に限定されず、通常、体液吸引用ポンプの逆流防止弁に用いることができる材料を自由に選択して用いることができる。例えば、シリコーンゴム、エチレンプロピレンゴム、水素化ニトリルゴム等の合成ゴム、スチレン系、オレフィン系の熱可塑性エラストマーなどが挙げられる。
【００４３】
本発明に係る体液吸引用ポンプ１において、逆流防止弁１２は、その軸方向と後述する復元手段１３の筒の軸方向とがほぼ平行になるように設置することが好ましい。また、後述する復元手段１３を最も圧縮した際に、逆流防止弁１２が復元手段１３から離れる方向に移動するように設計することが好ましい（図３参照）。このように設計することで、復元手段１３を圧縮する際、逆流防止弁１２が邪魔になるのを防止することができるため、復元手段１３を圧縮した際に、効率的に空気を排出させることができる。
【００４４】
本発明において、復元手段１３を圧縮する時に逆流防止弁１２を復元手段１３から離れる方向に移動させる構成は、特に限定されず、自由に設計することができる。例えば、形状保持性の高い熱可塑性樹脂シートを用いて容器１１を形成することにより、復元手段１３を圧縮する時に逆流防止弁１２を復元手段１３から離れる方向に移動させることができる。より具体的に説明すると、容器１１内で復元手段１３が拡膨している時は、容器１１は復元手段１３に押し広げられた状態で立体的な袋状をなすが、復元手段１３が圧縮された際には、容器１１は、復元手段１３によって押し広げられた状態から解放されるため、容器１１を形成するシートが、立体的形状から本来のシート形状に復元しようとし、その結果、容器１１の吸入口１１１に接続された逆流防止弁１２を、復元手段１３から離れる方向に移動させることができる。
【００４５】
また、例えば、逆流防止弁１２付近のシール部１１５、即ち、復元手段１３の外壁面１３１と接触しない部分のシール部１１５の材料強度（材料の硬さ、腰）を調整することで、前記と同様の仕組みによって、復元手段１３を圧縮する時に逆流防止弁１２を復元手段１３から離れる方向に移動させることができる。
【００４６】
また、この逆流防止弁１２を移動させる機構は、容器１１の形成過程とも関連するものと考えられる。本発明の容器１１は、２枚の合成樹脂フィルムを外周でシールすることで形成することができるが、この外周シールは、逆流防止弁１２及び復元手段１３を容器１１内に内設した状態で行う。このシールの際、復元手段１３は圧縮して扁平にした状態にし、さらに逆流防止弁１２は復元手段１３の内壁面１３２と接触しない位置（状態）にして、容器１１の外周シールを行う。容器１１をこのような状態にしてシールすることで、逆流防止弁１２は、復元手段１３が容器内で最も拡膨した際には、復元手段の筒の内壁面に囲まれるが、復元手段１３が最も圧縮された際には、シール時の元の形態に復元しようとして、復元手段の内壁面と接触しない位置に移動させることができる。
【００４７】
圧縮時と非圧縮時に逆流防止弁１２を移動させる場合、図４に示すように移動させることがより好ましい。図４（Ｉ）は、復元手段１３が容器１１内で最も拡膨した際の体液吸引用ポンプ１を正面方向から視た正面模式図であり、図４（II）は、復元手段１３を最も圧縮した際の体液吸引用ポンプ１を正面方向から視た正面模式図である。
【００４８】
図４（Ｉ）に示すように、復元手段１３が容器１１内で最も拡膨した際には、逆流防止弁１２は復元手段１３の筒の内壁面１３２に囲まれている。この状態は、容器１１が弛みなく最も拡膨した状態である。このように、復元手段１３が容器１１内で最も拡膨した際に、容器１１が弛みなく最も拡膨した状態となるよう設計することで、圧縮された容器１１の形状が復元する際に、効率的に体液を吸引することが可能となる。
【００４９】
また、図４（II）に示すように、復元手段１３を最も圧縮した際には、逆流防止弁１２は復元手段１３の筒の内壁面１３２と接触しない位置に移動する。このように設計することで、復元手段１３を圧縮する際、逆流防止弁１２が全く邪魔にならないため、復元手段１３を極限まで圧縮することができる。そのため、復元手段１３を圧縮した際に、効率的に空気を排出させることができ、その結果、効率的に体液を吸引することが可能となる。
【００５０】
図５は、本発明に係る体液吸引用ポンプ１の第２実施形態を模式的に示す斜視模式図である。第２実施形態に係る体液吸引用ポンプ１では、容器１１の送出口１１２にも、逆流防止弁１２’が接続されている。その他の構成は、前記第１実施形態と同一である。
【００５１】
第２実施形態に係る体液吸引用ポンプ１のように、容器１１の送出口１１２に逆流防止弁１２’を接続することで、例えば、容器１１の送出口１１２からポンプの外部へ送出された体液が、容器１１内に逆流することを防止することができる。
【００５２】
第２実施形態に係る体液吸引用ポンプ１のように、容器１１の送出口１１２に逆流防止弁１２’を接続する場合、その設置方法は特に限定されない。逆流防止弁１２’は、本発明の効果を損なわない限り、自由に設置することができるが、本発明では特に、吸入口１１１に接続する逆流防止弁１２と同様に、その軸方向と後述する復元手段１３の筒の軸方向とがほぼ平行になるように設置することが好ましい。逆流防止弁１２’を復元手段１３と平行に設置することにより、復元手段１３の圧縮と復元が効率的に行えるようになり、その結果、効率的に体液を吸引することが可能となる。
【００５３】
また、吸入口１１１に接続する逆流防止弁１２と、復元手段１３と、送出口１１２に接続する逆流防止弁１２’とが、それぞれ軸方向平行にして、同一直線上に並ぶように設計することが好ましい。これらが同一直線上に並ぶように設計することで、吸入された体液が容器１１内をスムーズに移動し、そして送出させることができるため、体液の効率的な吸入および送出を行うことが可能となる。また、容器１１内で体液がスムーズに移動することにより、容器１１内での詰まりを防止することも可能である。
【００５４】
（３）復元手段１３
本発明に係る体液吸引用ポンプ１の容器１内には、容器１１を圧縮した後に圧縮された形状を復元させて容器１１内に吸引圧を発生させるために、筒状の復元手段１３を内設する。本発明では、復元手段１３を、圧縮時に変形しない複数の肉厚部１３３と、圧縮時に変形し前記複数の肉厚部１３３を連結する複数の肉薄部１３４とで構成することを特徴とする。
【００５５】
本発明の復元手段１３を形成する材料は、非金属材料であって、筒状に形成し圧縮した際に、復元力を発生するものであれば特に限定されない。例えば、合成樹脂、ゴムなどの非金属材料を用いることが好ましい。本発明において復元手段１３の材料として使用可能な樹脂としては、ポリアリレート樹脂、アクリロニトリル・ブタジエン・スチレン樹脂、ポリブチレンテレフタレート樹脂、ポリカーボネート樹脂、ポリエチレン樹脂、ポリエチレンテレフタレート樹脂、ポリアセタール樹脂、ポリアミド樹脂、変性ポリフェニレンエーテル樹脂、ポリスルホン樹脂、ポリエーテルサルフォン樹脂、ポリフェニレンスルファイド樹脂、ポリエーテルケトン樹脂、ポリイミド樹脂、ポリエーテルイミド樹脂、フッ素樹脂などの合成樹脂が挙げられる。なかでも、反発特性に優れる、ポリアリレート樹脂、アクリロニトリル・ブタジエン・スチレン樹脂、ポリブチレンテレフタレート樹脂、ポリカーボネート樹脂、ポリエチレン樹脂、ポリエチレンテレフタレート樹脂が特に好ましい。
【００５６】
本発明に係る体液吸引用ポンプ１の復元手段１３には、光透過性を有する材料を用いることが好ましい。具体的には、透明又は半透明の合成樹脂材料を用いることが好ましい。光透過性を有する材料を用いることで、吸引された体液の状態を復元手段１３から透視して容易に確認することができ、治癒状態を確認しながら診断、必要な治療などを行うことが可能である。
【００５７】
本発明に係る体液吸引用ポンプ１において、復元手段１３の具体的な構造は、筒状を呈し、かつ、圧縮時に変形しない複数の肉厚部１３３と、圧縮時に変形し前記複数の肉厚部１３を連結する複数の肉薄部１３４とで構成することを特徴とする。以下、復元手段１３の具体的な構造例について、説明する。
【００５８】
図６は、本発明に係る体液吸引用ポンプ１の復元手段１３の一例を、容器外１１外で最も拡張させた際の斜視模式図であり、図７（Ｉ）は、図６のＡ−Ａ’断面模式図であり、図７（II）は、図６の復元手段１３を容器１１外で最も圧縮した際のＡ−Ａ’断面模式図である。
【００５９】
図６および図７の復元手段１３の例は、６個所の肉厚部１３３ａ〜ｆと、これらを連結する６個所の肉薄部１３４ａ〜ｆと、で構成した例である。肉厚部１３３ａ〜ｆと肉薄部１３４ａ〜ｆは、復元手段１３の筒の軸方向と平行に配置され、復元手段１３の壁を構成する。
【００６０】
図６および図７の復元手段１３の例では、上下の肉厚部１３３ａ、１３３ｄの上下方向から内側へ外力がかけられると、肉薄部１３４ａ〜ｆが変形し、潰れた状態に圧縮される。より具体的に説明すると、上下の肉厚部１３３ａ、１３３ｄの上下方向から内側へ外力がかけられると、肉薄部１３４ａ、ｃ、ｄ、ｆは、その内角Ｒ２（肉厚部１３３ａとｂ、１３３ｃとｄ、１３３ｄとｅ、１３３ｆとａ、がそれぞれ成す内角）が拡大する方向に撓曲し、肉薄部１３４ｂ、ｅは、その内角Ｒ１（肉厚部１３３ｂとｃ、１３３ｅとｆ、がそれぞれ成す内角）が減少する方向に撓曲することにより、復元手段１３が全体的に潰れた状態に圧縮される。なお、復元手段１３の圧縮時にその内角が減少する方向に撓曲する内角Ｒ１は、互いに対向する位置にあることが好ましい。内角Ｒ１がこのような対向する位置にあることで、圧縮操作が簡便に行うことができ、復元手段１３に無駄な空間が発生せず効率的な圧縮が可能となる。
【００６１】
この時、肉厚部１３３ａ〜ｆは変形しないため、復元手段１３に安定した外力をかけることができ、また、肉薄部１３４ａ〜ｆが設けられていることで、極端に強い外力を加えなくとも肉薄部１３４ａ〜ｆから自然に変形がおきて、復元手段１３をスムーズに圧縮することができる。
【００６２】
前記内角Ｒ１の角度は、本発明の効果を損なわない限り、自由に設定することができるが、本発明では特に、３０°以上１５０°以下に設定することが好ましい。また、前記内角Ｒ２の角度も、本発明の効果を損なわない限り、自由に設定することができるが、本発明では特に、１１０°以上１６０°以下に設定することが好ましい。
【００６３】
内角Ｒ１の角度が１５０°以内で内角Ｒ２の角度が１１０°以上であると、圧縮時の肉薄部１３４ａ〜ｆへの変形度合・負荷が低減され、肉薄部１３４ａ〜ｆの破損を防ぐことができる。また、内角Ｒ１の角度が１５０°以内で内角Ｒ２の角度が１１０°以上であると、女性の医師・看護師や患者でも簡単に圧縮できる適度な弾性力が発揮され、吸引操作が簡便となる。また、急に高い吸引圧を発生せることもないので、ドレーンチューブが臓器に吸い付いたり、傷つけたりすることも防ぐことができる。さらに、ポンプ自体も厚ぼったくなく、装着していても違和感なく、日常生活動作を妨げことがない。また、内角Ｒ１の角度が３０°以上で内角Ｒ２の角度が１６０°以下あると、圧縮時に所望の吸引圧を発生させるのに必要な適度な反発力が得られる。
【００６４】
本発明において、肉厚部１３３ａ〜ｆの具体的な厚さは、肉薄部１３４ａ〜ｆより厚くて、圧縮時に変形することがなければ、自由に設定することができるが、本発明においては、０．５ｍｍ以上１０ｍｍ以下に設定することが好ましく、０．８ｍｍ以上５ｍｍ以下に設定することがより好ましい。肉厚部１３３ａ〜ｆの厚さをこの範囲に設定することで、圧縮時により安定的に外力をかけることができるので、看護師や患者がより簡単に押し潰すことができるようになり、また、肉厚部１３３ａ〜ｆに適度な腰を与えることができるため、無駄な変形をなくすことができる。
【００６５】
本発明において、肉薄部１３４ａ〜ｆの具体的な厚さは、肉厚部１３３ａ〜ｆより薄くて、圧縮時に変形することが可能であれば、自由に設定することができるが、本発明においては、０．１ｍｍ以上２ｍｍ以下に設定することが好ましく、０．１５ｍｍ以上０．７ｍｍ以下に設定することがより好ましい。肉薄部１３４ａ〜ｆの厚さをこの範囲に設定することで、圧縮のし易さと弾性回復のバランスのとれた復元手段１３を形成することができる。より具体的には、女性の看護師や患者でも簡単に圧縮できる適度な弾性力が発揮され、吸引操作が簡便となり、また、急に高い吸引圧を発生せることもないので、ドレーンチューブが臓器に吸い付いたり、傷つけたりすることも防ぐことができる。
【００６６】
本発明において、肉厚部１３３ａ〜ｆおよび肉薄部１３４ａ〜ｆの具体的な大きさや形状は、本発明の効果を損なわなければ、自由に設計することができるが、本発明においては、略６角柱の互いに対向する位置に同じ大きさ、形状の板状部材が対になるように構成することが好ましい。このように構成することで、圧縮時において、上下左右に圧縮率の差が生じることがなく、上下左右が均等に圧縮することができるため、スムーズな圧縮およびスムーズな体液の吸引を行うことができる。
【００６７】
また、本発明において、肉厚部１３３ａ〜ｆの軸に対して垂直方向の長さＬ１、Ｌ２も、本発明の効果を損なわなければ、自由に設計することができるが、本発明においては、肉厚部１３３ａ〜ｆの軸に対して垂直方向の長さＬ１、Ｌ２を１０ｍｍ以上５０ｍｍ以下に設定することが好ましく、１５ｍｍ以上４０ｍｍ以下に設定することがより好ましい。肉厚部１３３ａ〜ｆの軸に対して垂直方向の長さＬ１、Ｌ２をこの範囲に設定することで、圧縮のし易さと弾性回復のバランスのとれた復元手段１３を形成することができる。
【００６８】
また、本発明において、肉薄部１３４ａ〜ｆの軸に対して垂直方向の長さＬ３、Ｌ４も、本発明の効果を損なわなければ、自由に設計することができるが、本発明においては、肉薄部１３４ａ〜ｆの軸に対して垂直方向の長さＬ３、Ｌ４を２ｍｍ以上２５ｍｍ以下に設定することが好ましく、４ｍｍ以上１５ｍｍ以下に設定することがより好ましい。肉薄部１３４ａ〜ｆの軸に対して垂直方向の長さＬ３、Ｌ４をこの範囲に設定することで、圧縮のし易さと弾性回復のバランスのとれた復元手段１３を形成することができる。
【００６９】
以上説明した、肉厚部１３３ａ〜ｆおよび肉薄部１３４ａ〜ｆは、前述した通り、あらゆる材料を用いて構成することができるが、本発明においては、肉厚部１３３ａ〜ｆおよび肉薄部１３４ａ〜ｆを同一材料によって、一体的に連結した構成とすることが好ましい。同一材料で一体的に形成することで、製造工程を少なくすることができ、製造段階における時間やコストの削減を実現することができる。
【００７０】
また、復元手段１３の具体的な製造方法も特に限定されないが、射出成型によって成型することが好ましい。この場合、射出成型によるウェルドライン（成型時に樹脂の流れが合流して融着した細い線状部）が、肉厚部１３３ａ〜ｆにくるようにすることが好ましい。射出成型のウェルドラインが肉厚部にくるように成型することで、復元手段１３の繰り返しの圧縮操作によっても、十分な耐久性を得ることができる。仮に、ウェルドラインを肉薄部１３４ａ〜ｆに設けた場合には、復元手段１３の繰り返しの圧縮操作によって、ウェルドラインの存在する肉薄部が劣化しやすく、繰り返しの圧縮操作でひびや割れが起こる可能性がある。
【００７１】
以上、復元手段１３について、６個所の肉厚部１３３ａ〜ｆと、これらを連結する６個所の肉薄部１３４ａ〜ｆと、で構成した例を用いて説明したが、本発明に係る体液吸引用ポンプ１に用いる復元手段１３は、図６および７に示す例に限定されない。例えば、図８〜１１に示す例のような構成に設計することも可能である。
【００７２】
図８は、本発明に係る体液吸引用ポンプ１の復元手段１３の図６および７とは異なる一例を、容器外１１外で最も拡張させた際の斜視模式図であり、図９（Ｉ）は、図８のＢ−Ｂ’断面模式図であり、図９（II）は、図８の復元手段１３を容器１１外で最も圧縮した際のＢ−Ｂ’断面模式図である。
【００７３】
図８および図９に示す復元手段１３の例は、２個所の板状の肉厚部１３３ａ、１３３ｂと、これらを連結する２個所の弧状の肉薄部１３４ａ、１３４ｂと、で構成している。図６および図７の復元手段１３の例では、二枚の板状の肉厚部１３３ａ、１３３ｂの上下方向から内側へ外力がかけられると、肉薄部１３４ａ、１３４ｂが変形し、潰れた状態に圧縮される。
【００７４】
図１０は、本発明に係る体液吸引用ポンプ１の復元手段１３の図６から９とは異なる一例を、容器外１１外で最も拡張させた際の斜視模式図であり、図１１（Ｉ）は、図１０のＣ−Ｃ’断面模式図であり、図１１（II）は、図１０の復元手段１３を容器１１外で最も圧縮した際のＣ−Ｃ’断面模式図である。
【００７５】
図１０及び図１１に示す復元手段１３は、１０個所の肉厚部１３３ａ〜ｊと、これらを連結する１０個所の肉薄部１３４ａ〜ｊと、で構成した例である。図１０および図１１の復元手段１３の例では、上下の肉厚部１３３ａ、１３３ｆの上下方向から内側へ外力がかけられると、肉薄部１３４ａ〜ｊが変形し、潰れた状態に圧縮される。
【００７６】
なお、本発明に係る体液吸引用ポンプ１において、容器１１内での復元手段１３の具体的な配置、好ましい配置については、前記逆流防止弁１２で述べた通りであるため、ここでは説明を割愛する。
【００７７】
（４）体表固定部１４
本発明に係る体液吸引用ポンプ１には、患者の体表に固定するための体表固定部１４を備えることができる。体表固定部１４は、本発明においては必須ではないが、体表固定部１４を備えることで、患者が離床する際には体液吸引用ポンプ１を着衣内にしまうことができるため、装着時の外観変化を気にすることなく患者のＡＤＬを高く維持することができる。更にチューブ等が露出しないため転倒などの危険性を低減させることができる。
【００７８】
図１２は、本発明に係る体液吸引用ポンプ１の第３実施形態を模式的に示す斜視模式図である。第３実施形態に係る体液吸引用ポンプ１は、容器１１の外壁面１１６に、体表固定部１４が備えている。その他の構成は、前記第１実施形態と同一である。
【００７９】
本発明に係る体液吸引用ポンプ１において、体表固定部１４の具体的な構造は、患者の体表に固定することができれば特に限定されず、自由に設計することができる。例えば、図１０の第３実施形態に示すように、体表に装着するための面板１４１と、面板１４１の体表に装着しない側の面に備えた面ファスナー１４２ａと、容器１１の外壁面１１６に備えた面ファスナー１４２ｂと、で構成することができる。
【００８０】
面板１４１一方の面には、皮膚に貼付するための粘着性を有する皮膚保護剤を備える。本発明に用いることができる皮膚保護剤の成分などは特に限定されず、例えば、オストミーパウチなどで用いる周知の皮膚保護剤を自由に選択して用いることができる。
【００８１】
第３実施形態に係る体液吸引用ポンプ１では、体表固定部１４に、面ファスナー１４２ａ、１４２ｂを用いて、面板１４１と容器１１とを固定しているが、これに限定されず、面ファスナーの代わりに、面板１４１と容器１１とを固定可能とする構造を自由に設計することができる。
【００８２】
なお、容器１１の外壁面１１６に備えた面ファスナー１４２ｂをオス型にすることで、例えば、患者の体表のみならず、患者の衣類などに体液吸引用ポンプ１を固定することも可能である。患者の衣類などに体液吸引用ポンプ１を固定することで、吸引時や吸引した体液の確認時などにおいて、衣類の脱着が不要となるため、患者への負担を軽減することが可能である。
【００８３】
以上説明した本発明に係る体液吸引用ポンプ１を用いた体液の吸引方法について、以下、説明する。
まず、容器１１の吸入口１１１に、体内に留置されたドレーン（図示せず）の端部を接続した状態で、容器１１を圧縮する。この際、容器１１内の空気が、容器１１の送出口１１２から外へ排出される。
【００８４】
次に、容器１１の圧縮により同時に圧縮された復元手段１３が、徐々に拡膨しながら容器１１を押し広げることにより、容器１１内に吸引圧が発生する。発生した吸引圧によって体内から体液が吸引され、容器１１の吸入口１１１から体液が容器１１内に吸入される。容器１１内で復元手段１３が拡膨しきると、体液の吸引は終了する。
【００８５】
体液の吸引が終了した状態で、再び、容器１１を圧縮すると、容器１１内の体液が、容器１１の送出口１１２から外へ排出される。そして、圧縮された復元手段１３により、容器１１内に吸引圧が発生し、再び、体液の吸引が開始する。これを繰り返すことで、体内から体液を吸引することができる。
【００８６】
＜２．体液吸引集液装置＞
図１３は、本発明に係る体液吸引集液装置２の第１実施形態を模式的に示す斜視模式図である。本発明に係る体液吸引集液装置２は、大別して、前述した体液吸引用ポンプ１と、（１）送入口２１１と、（２）貯留用容器２１２と、（３）排出口２１３と、を備える体液貯留部２１と、を備える。また、ガスを排出するための（４）フィルター２１４を設けてもよい。以下、各部について、詳細に説明する。なお、体液吸引用ポンプ１の各部については、前述と同一であるため、ここでは説明を割愛する。
【００８７】
（１）送入口２１１
本発明に係る体液吸引集液装置２の体液貯留部２１において、送入口２１１は、体液吸引用ポンプ１の送出口１１２に連通し、後述する貯留用容器２１２に体液を送入するための部位である。送入口２１１には、体液吸引用ポンプ１の送出口１１２との接続を容易にするために、管状部材Ｔ３を連設することが好ましい。管状部材Ｔ３を形成する材料は、柔軟な材料であれば、特に限定されず、通常、体液吸引集液装置に用いることができる材料を自由に選択して用いることができる。例えば、シリコーンゴム、エチレンプロピレンゴム、水素化ニトリルゴム等の合成ゴム、スチレン系、オレフィン系の熱可塑性エラストマーなどが挙げられる。
【００８８】
管状部材Ｔ３は、その一端に逆流防止弁を設けることが好ましい。体液貯留部２１から体液吸引用ポンプ１への体液の逆流を防止するためである。なお、逆流防止弁を形成する具体的な材料や構造などについては、前述した体液吸引ポンプ１の逆流防止弁１２と同一であるため、ここでは説明を割愛する。なお、体液貯留部２１に設ける送入口２１１（管状部材Ｔ３）と逆流防止弁は、体液吸引用ポンプ１に設ける送出口１１２（管状部材Ｔ２）と逆流防止弁１２’と実質的に同じ機能であるため、どちらか一方を設ければよい。
【００８９】
（２）貯留用容器２１２
本発明に係る体液吸引集液装置２の体液貯留部２１において、貯留用容器２１２では、送入口２１１から送入された体液を貯留する。
【００９０】
貯留用容器２１２を形成する材料は、特に限定されず、通常、体液の貯留に用いることができる材料を自由に選択して用いることができる。例えば、熱可塑性樹脂などが挙げられる。なお、貯留用容器２１２は、前述の体液吸引用ポンプ１の容器１１とは異なり、圧縮を行うことはないため、硬質の材料を用いることも可能であるが、本発明では、軟質の材料を用いることが好ましい。軟質の材料を用いて貯留用容器２１２を形成することで、患者に装着した際の違和感を軽減することができ、患者のＡＤＬを高く維持することが可能である。
【００９１】
また、製造工程を単純化するためにも、貯留用容器２１２は、体液吸引用ポンプ１の容器１１と同一の材料で形成することが好ましい。同一の材料で形成することで、体液吸引用ポンプ１の容器１１と貯留用容器２１２とを一体的に形成することも可能である。
【００９２】
本発明に係る体液吸引集液装置２の貯留用容器２１２には、光透過性を有する材料を用いることが好ましい。具体的には、透明又は半透明の合成樹脂フィルムを用いることが好ましい。光透過性を有する材料を用いることで、吸引された体液の状態を貯留用容器２１２から透視して容易に確認することができ、治癒状態を確認しながら診断、必要な治療などを行うことが可能である。
【００９３】
また、本発明に係る体液吸引集液装置２の貯留用容器２１２には、シール性のある材料を用いることが好ましい。シール性を有する材料を用いることで、貯留用容器２１２を、所望の形態へと形成し易くすることができる。
【００９４】
更に、貯留用容器２１２には防臭性を有する材料を用いることが好ましい。排液の種類によっては臭気を発生することがあるため病室内に臭いが充満する恐れがある。防臭性の素材を用いることで患者および周囲の快適性を高めることが可能となる。
【００９５】
加えて、本発明に係る体液吸引集液装置２の貯留用容器２１２には、印刷性のある材料を用いることが好ましい。印刷性を有する材料を用いることで、例えば、取扱いの説明や患者名、吸引日時、吸引した浸出液量目盛などを貯留用容器２１２に印刷することができるので、処置の効率化を図ることができ、また、医療過誤などを防止することも可能である。
【００９６】
貯留用容器２１２の具体的な形態は特に限定されず、吸引を行う部位、目的の設置個所などに応じて、自由に設計することができる。
【００９７】
また、貯留用容器２１２の具体的な大きさについても特に限定されず、吸引を行う体液量、体液の排出頻度などに応じて、自由に設計することができる。
【００９８】
（３）排出口２１３
本発明に係る体液吸引集液装置２の体液貯留部２１において、排出口２１３は、貯留用容器２１２内に貯留された体液を外部へ排出するための部位である。排出口２１３には、や体液を排出し易くするための管状部材Ｔ４を連設することもできる。管状部材Ｔ４を形成する材料については、送入口２１１に連設可能な管状部材Ｔ３と同様であるため、ここでは説明を割愛する。
【００９９】
（４）フィルター２１４
本発明に係る体液吸引集液装置２の体液貯留部２１において、体液貯留部２１に溜まった気体を体液貯留部２１の外部に排出するためのフィルター２１４を設けることが好ましい。フィルター２１４は気体を通すが液体は通過しない透気防水性の材料で構成することが好ましい。また、排液の種類によっては悪臭の原因となるので、フィルターには脱臭機能を有する材料を用いることが好ましい。フィルター２１４の取り付け位置は、ベットサイドにぶら下げた時やベット上に置いた際に貯留した排液がフィルターに接触し難い位置が好ましく、貯留容器前面かつ上部で軸線中央付近が好ましい。
【０１００】
以上説明した本発明に係る体液吸引集液装置２を用いた体液の吸引および集液方法について、以下、説明する。
まず、体液吸引用ポンプ１の容器１１の吸入口１１１に、体内に留置されたドレーン（図示せず）の端部を接続した状態で、容器１１を圧縮する。この際、容器１１内の空気が、容器１１の送出口１１２から体液貯留部２１へ送られる。このとき、必要に応じて、体液貯留部２１の貯留用容器２１２に送られた空気を、排出口２１３又はフィルター２１４から排出しておくこともできる。空気を排出しておくことで、貯留用容器２１２内により多くの体液を貯留することが可能となる。
【０１０１】
次に、容器１１の圧縮により同時に圧縮された復元手段１３が、徐々に拡膨しながら容器１１を押し広げることにより、容器１１内に吸引圧が発生する。発生した吸引圧によって体内から体液を吸引し、容器１１の吸入口１１１から体液が容器１１内に吸入される。容器１１内で復元手段１３が拡膨しきると、体液の吸引は終了する。
【０１０２】
仰臥位で寝ている人体の腹腔内部は大気圧よりも陽圧となっていることから、排液は自然に体外へ排出されることになる。ことのとき、フィルター２１４より気体が外部へ排出されることで貯留用容器２１２内が陽圧になることを防ぐことが可能となり、容器１１から貯留用容器２１２への排液の移動を妨げない効果が得られる。つまり腹腔内の陽圧により自然に排出された排液は容器１１に流入し、続いて貯留用容器２１２内の気体がフィルター２１４より外部へ排出されることで、容器１１内に吸引圧を発生させなくても一定時間持続的に貯留用容器２１２に排液が自然と溜まることになる。体動やその他の要因により腹腔の陽圧が低減したり、体内の組織塊によりチューブが閉塞し、排液の流れが悪化した際には、再び、容器１１を圧縮すると、容器１１内の体液が、容器１１の送出口１１２から体液貯留部２１へ送られる。そして、圧縮された復元手段１３により、容器１１内に吸引圧が発生し、再び、体液の吸引が開始する。これを繰り返すことで、体液吸引用ポンプ１が体内から体液を吸引し、吸引された体液を体液貯留部２１が集液することができる。
【０１０３】
体液貯留部２１に集液された体液は、体液量や貯留時間などを目安に、体液貯留部２１の排出口２１３から排出する。排出口２１３にはコネクターを介して貯留容量の大きな排液バックを接続することも可能であり、排液の多い日の夜間など看護師のケアが十分ではない時間帯においても持続的な排液収集ができる。
【産業上の利用可能性】
【０１０４】
本発明に係る体液吸引用ポンプおよび体液吸引集液装置は、非金属材料のみでもシンプルに構成できるため、金属材料を用いたものに比べて重量を軽くすることができ、術後の患者の離床、リハビリなどにおいて、患者への負担を軽くすることが可能である。
【０１０５】
また、本発明に係る体液吸引用ポンプおよび体液吸引集液装置は、非金属材料のみでも形成できるため、使用後の廃棄処理時のけがなどを軽減することができ、焼却後の金属廃棄物との分別も必要なく、廃棄処理時の煩雑性も改善することが可能である。
【０１０６】
更に、本発明に係る体液吸引用ポンプおよび体液吸引集液装置は、効率的に適度な吸引圧を発生できるため、患者や症状に合った効率的な治療を行うことが可能である。
【０１０７】
加えて、本発明に係る体液吸引用ポンプおよび体液吸引集液装置は、非常にシンプルな構造であるため、その設計変更も容易であり、患者に適応した所望の吸引圧に設計することが可能である。その結果、患者のＡＤＬを維持しつつ、個々の患者に適応した所望の治癒効果を得ることが可能である。
【符号の説明】
【０１０８】
１  体液吸引用ポンプ
１１  容器
１２、１２’  逆流防止弁
１３  復元手段
１４  体表固定部
１１１  吸入口
１１２  送出口
１１３  容器の内壁面
１１４  吊り下げ用穴
１１５  容器のシール部
１１６  容器の外壁面
１２２  逆流防止弁の末端
１２１  逆流防止弁を構成するチューブ
１３１  復元手段の外壁面
１３２  復元手段の内壁面
１３３ａ〜ｊ  肉厚部
１３４ａ〜ｊ  肉薄部
１４１  面板
１４２ａ、１４２ｂ  面ファスナー
Ｔ１、Ｔ２、Ｔ３、Ｔ４  管状部材
２  体液吸引集液装置
２１  体液貯留部
２１１  送入口
２１２  貯留用容器
２１３  排出口
２１４  フィルター
【図１】
0006019272.tif 000002
【図２】
0006019272.tif 000003
【図３】
0006019272.tif 000004
【図４】
0006019272.tif 000005
【図５】
0006019272.tif 000006
【図６】
0006019272.tif 000007
【図７】
0006019272.tif 000008
【図８】
0006019272.tif 000009
【図９】
0006019272.tif 000010
【図１０】
0006019272.tif 000011
【図１１】
0006019272.tif 000012
【図１２】
0006019272.tif 000013
【図１３】
0006019272.tif 000014